(57)【要約】【課題】  検知対象の状態変化を発光体の発光によって報知する発光表示装置において、発光状態が離れた位置からも視認され易く、死角による見逃しも生じにくく、水濡れ等による発光部分の劣化がなく、制御機構部の耐久性が良好なものを提供する。【解決手段】  発光ダイオード５の取付部分を覆う光透過性硬質材料からなる保護カバー１２を備え、保護カバー１２の内面側の少なくとも一部に乱反射面６が形成され、発光体５から放射される光を該乱反射面６で乱反射させるように構成している。【選択図】                図４
2006098959.tif 000002
【特許請求の範囲】
【請求項１】
検知対象の状態変化を発光体の発光によって報知する発光表示装置において、
発光体の取付部分を覆う光透過性硬質材料からなる保護カバーを備え、この保護カバーの内面側の少なくとも一部に乱反射面が形成され、発光体から放射される光を該乱反射面で乱反射させるように構成してなる発光表示装置。
【請求項２】
前記発光体が発光ダイオードである請求項１記載の発光表示装置。
【請求項３】
前記乱反射面が透明プラスチック又は透明ガラスからなる保護カバーの表面を摩りガラス状に粗面化したものである請求項１又は２に記載の発光表示装置。
【請求項４】
前記保護カバーが内面側を乱反射面とした半透明な天井部と透明な周壁部とでキャップ状に形成され、発光体及び制御機構を取り付けたベース部に該保護カバーが嵌着されてなる請求項１〜３のいずれかに記載の発光表示装置。
【発明の詳細な説明】
【技術分野】
【０００１】
本発明は、各種機械装置のＯＮ−ＯＦＦの如き動作の切換え状態を示す表示ランプ、各種システムや機械装置に異常を生じた時に点灯する警報ランプ等、検知対象の状態変化を発光体の発光によって報知する発光表示装置に関する。
【背景技術】
【０００２】
従来、シーケンスバルブを始めとする各種バルブにおいて、その開閉状態を表示する装置として、バルブケーシングに付設されるコントロールヘッドに、バルブ開閉に伴う圧力の増減で昇降する近接リミッターと、その昇降を検出する近接スイッチと、該近接スイッチの信号によって点滅する発光ダイオード（ＬＥＤ）の如き発光素子を取り付けたものがある。そして、このようなコントールヘッドでは、電気回路を含む制御機構部を透明又は乳白色半透明の硬質合成樹脂からなる保護カバーで覆うと共に、発光部分を該保護カバーの外側に導出するのが一般的である。
【０００３】
しかしながら、上記のバルブ開閉の表示装置では、発光部分が小さいため、その発光が離れた位置から視認されにくく、且つ発光部分が周辺の器材の死角に入って見逃される場合も多々ある上、外部に導出した発光部分が水濡れ等で劣化を速めたり、その導出部分の封止不良によってコントールヘッド内の制御機構部の寿命低下や故障を生じ易いという問題があった。そして、このような問題は、バルブ開閉の表示装置に限らず、各種機械装置のＯＮ−ＯＦＦや動作の切換え状態を示す表示ランプ、各種システムや機械装置に異常を生じた時に点灯する警報ランプ等、検知対象の状態変化を発光体の発光によって報知する発光表示装置全般に共通することである。
【発明の開示】
【発明が解決しようとする課題】
【０００４】
本発明は、上述の状況に鑑み、前記バルブ開閉の表示装置を始めとして、検知対象の状態変化を発光体の発光によって報知する発光表示装置において、その発光状態が離れた位置からも視認され易く、死角による見逃しも生じにくく、且つ水濡れ等による発光部分の劣化がなく、また制御機構部の耐久性が良好なものを提供することを目的としている。
【課題を解決するための手段】
【０００５】
上記目的を達成するために、請求項１の発明は、図面の参照符号を付して示せば、検知対象の状態変化を発光体（発光ダイオード５）の発光によって報知する発光表示装置において、発光体５の取付部分を覆う光透過性硬質材料からなる保護カバー１２を備え、この保護カバー１２の内面側の少なくとも一部に乱反射面６が形成され、発光体５から放射される光を該乱反射面６で乱反射させるように構成してなるものである。
【０００６】
また、上記の発光表示装置において、請求項２の発明では発光体が発光ダイオード５である構成、請求項３の発明では乱反射面６が透明ガラス又は透明プラスチックからなる保護カバー１２の表面を摩りガラス状に粗面化したものである構成、をそれぞれ採用している。
【０００７】
請求項４の発明は、上記請求項１〜３のいずれかの発光表示装置において、保護カバー１２が内面側を乱反射面６とした半透明な天井部１２ａと透明な周壁部１２ｂとでキャップ状に形成され、発光体５及び制御機構を取り付けたベース部１１に該保護カバー１２が嵌着されてなるものとしている。
【発明の効果】
【０００８】
請求項１の発明に係る発光表示装置によれば、発光体が発光した際、保護カバーの乱反射面で乱反射した光で該保護カバー全体が光った状態になり、発光部分のサイズが大きくなるため、その発光状態が離れた位置からも視認され易い上、死角も生じにくくなる。また、発光体は、保護カバーに覆われているために水濡れ等による劣化が防止され、長寿命となる。
【０００９】
請求項２の発明によれば、発光体に発光ダイオードを用いることから、低電力で安定した高輝度の発光が得られる。
【００１０】
請求項３の発明によれば、乱反射面が透明プラスチック又は透明ガラスからなる保護カバーの表面を摩りガラス状に粗面化したものであるから、該乱反射面をショットブラスト等で容易に且つ安価に形成できるという利点がある。
【００１１】
請求項４の発明によれば、保護カバーが内面側を乱反射面とした半透明な天井部と透明な周壁部とからなるキャップ状をなし、発光体及び制御機構を取り付けたベース部に嵌着されることから、発光体が発光した際、透明な周壁部からの散乱光の強い放射で発光表示がより明るく視認され易くなる上、該周壁部を通して内部の制御機構等の状態を観察できるという利点がある。
【発明を実施するための最良の形態】
【００１２】
以下、本発明の発光表示装置をシーケンスバルブの開閉表示に適用した一実施形態について、図面を参照して具体的に説明する。
【００１３】
図１〜図５において、１はコントールヘッドであり、上方に開放した平面視略円形の容器状のベース部１１と、このベース部１１の上部にＯリング１３を介して気密状態に外嵌装着された保護カバー１２とで縦短円筒形のケーシング１０を構成しており、シーケンスバルブのシリンダーＳ（図４，図５参照）の頂部に取り付けるようになっている。
【００１４】
そして、このケーシング１０内には、制御機構のプリント配線板２等と共に、バルブ開閉に伴う圧力の増減で昇降する近接リミッター３と、その昇降を検出する開側及び閉側の近接スイッチ４ａ，４ｂと、両近接スイッチ４ａ，４ｂの検出信号に基づいてバルブ開状態で緑色に発光するように設定された発光ダイオード（ＬＥＤ）５とがベース部１１に保持される形で配設されている。なお、発光ダイオード５はケーシング１０内の上部に配置した水平取付板１３上に固設され、また近接リミッター３はシリンダーＳから突出するピストンロッドＲに螺合連結される。
【００１５】
ケーシング１０のベース部１１は着色不透明なポリカーボネートの硬質成形物にて形成されている。一方、保護カバー１２は、無色透明なポリカーボネートからなるキャップ状の硬質成形物にショットブラスト処理を施すことにより、内面側が摩りガラス状に粗面化された乱反射面６をなす半透明な天井部１２ａと、無色透明の周壁部１２ｂとからなるものとしている。
【００１６】
なお、図４及び図５では、発光ダイオード３が発光していないバルブ閉止の状態を示しており、ピストンロッドＲの退入によって近接リミッター３が閉側近接スイッチ４ｂに対峙する下降位置にある。しかして、バルブが開放すれば、それに伴う圧力でピストンロッドＲが伸出することにより、近接リミッター３は上昇して開側近接スイッチ４ａに対峙し、発光ダイオード３が発光する。
【００１７】
上記構成の発光表示装置では、シーケンスバルブの開放に伴って発光ダイオード５が発光した際、その光が保護カバー１２の乱反射面６で乱反射し、その乱反射光がコントールヘッド１内に充満し、該保護カバー１２の半透明な天井部１２ａは鈍く、透明な周壁部１２ｂは強く緑色に光った状態になる。従って、発光部分が保護カバー１２全体の大きなサイズになるから、発光状態が離れた位置からも容易に確実に視認され、また周辺の器材で死角を生じる可能性も極めて少なくなる。
【００１８】
また、この発光表示装置にあっては、発光ダイオード５を保護カバー１２内に納めているから、その水濡れ等による劣化を回避できる上、コントールヘッド１内の気密性を十分に確保できるため、封止不良に起因した内部の制御機構部の寿命低下や故障を防止し、発光ダイオード５を含めてコントールヘッド１全体の長寿命化を実現できる。
【００１９】
本発明は、上記実施形態で例示したシーケンスバルブの開閉表示に限らず、各種機械装置のＯＮ−ＯＦＦや動作の切換え状態を示す表示ランプ、各種システムや機械装置に異常を生じた時に点灯する警報ランプ等、検知対象の状態変化を発光体の発光によって報知する機能を持つ発光表示装置全般に適用できる。また、発光体としては発光ダイオード以外の発光素子も利用できるが、特に発光ダイオードでは低電力で安定した高輝度の発光が得られるという利点がある。
【００２０】
本発明の発光表示装置に用いる保護カバーは、内面側の少なくとも一部に乱反射面を設けておればよいが、当然に内面全体を乱反射面にしてもよい。ただし、前記実施形態で用いた保護カバー１２のように、内面側を乱反射面６とした半透明な天井部１２ａと透明な周壁部１２ｂとからなるキャップ状として、発光ダイオード５及び制御機構を取り付けたベース部１１に嵌着する構成とすれば、発光ダイオード５が発光した際、透明な周壁部１２ｂからの散乱光の強い放射で発光表示がより明るく視認され易くなる上、外側から該周壁部１２ｂを通して内部の制御機構等の状態を目視観察して異常の有無等を調べることができる。
【００２１】
また、保護カバーの材料としては、実施形態ではポリカーボネートを用いているが、他の透明性硬質プラスチックや透明ガラス等の種々の光透過性硬質材料を使用できる。しかして、乱反射面の形成手段には特に制約はなく、成形型の内面を粗面状にしたり、成形後の型押しで粗面を転写する等の方法も採用可能であるが、ショットブラストによる摩りガラス状の粗面化が加工コストと乱反射効果の両面から推奨される。
【図面の簡単な説明】
【００２２】
【図１】本発明の一実施形態に係る発光表示装置の斜視図である。
【図２】同発光表示装置の正面図である。
【図３】図２のＡ−Ａ線の断面矢視図である。
【図４】図３のＢ−Ｂ線の断面矢視図である。
【図５】図３のＣ−Ｃ線の断面矢視図である。
【符号の説明】
【００２３】
１      コントールヘッド
１０    ケーシング
１１    ベース部
１２    保護カバー
１２ａ  天井部
１２ｂ  周壁部
５      発光ダイオード
６      乱反射面
【図１】
2006098959.tif 000003
【図２】
2006098959.tif 000004
【図３】
2006098959.tif 000005
【図４】
2006098959.tif 000006
【図５】
2006098959.tif 000007